(57)【要約】      （修正有）【課題】ピンチの開閉負担や清掃も含め、衣類の展示から回収及びピンチの清掃迄の一連の動作を容易にして、風が強い場合でも衣類の飛散又は落下を防止する。【解決手段】衣類を取付けた衣類用棒体１又は衣類用帯状のものと、枠体５に予め取付けてある枠体用棒体２又は枠体用帯状のもので、枠体内で衣類を挟む事によって、継続して枠体内の係止部４で衣類を挟み込む。衣類の形状変化又は衣類の乾燥効率向上と落下防止を行い尚且つ取付け取り外しが容易になる。【選択図】図１
2013070855.tif 000002
【特許請求の範囲】
【請求項１】
複数の腕又は足と衣類が取付けできる衣類用棒体又は衣類用帯状のもが係止できるＶ    字型、コの字型又はＵ字型を有した複数の係止部を有した枠体に、１個以上の突起、溝  又は穴を有した枠体用棒体又は枠体用帯状のものを１個以上保持又は牽下し取付け構成  し、前記枠体に取付けた枠体用棒体又は枠体用帯状のものと、係止される部分に１個以  上の突起、溝又は穴を有し、衣類を取付ける部分は全てが平坦又は１個以上の突起、    溝、又は穴を有した衣類用棒体又は衣類用帯状のもので衣類を挟みこみ構成し、前記衣  類を取付けた衣類用棒体又は衣類用帯状のものを、前記枠体の係止部にて係止する事で  衣類を継続して挟み込み保持又は牽下する事を特徴とする衣類展示回収冶具。
【請求項２】
複数の足又は腕と、衣類を取付けた棒体又は帯状のものが係止できるＶ字型、コの字型  又はＵ字型をした係止部を複数有し構成された枠体の衣類展示回収冶具。
【請求項３】
係止される部分に１個以上の突起、溝、又は穴を有し、衣類を取付ける部分は全てが平  坦又は１個以上の突起、溝、又は穴を有し構成された衣類が取付けできる衣類用棒体又  は衣類用帯状のものの衣類展示回収冶具。
【請求項４】
複数の腕又は足と衣類が付けられ全てが平坦又は１個以上の突起、溝又は穴を有した棒  体又は帯状のものが係止できる係止部を有した枠体に、全てが平坦又は１個以上の突    起、溝又は穴を有し構成され、前記枠体に保持又は牽下できる棒体又は帯状のものの衣  類展示回収冶具。      
【発明の詳細な説明】
【技術分野】
【０００１】
本発明は洗濯用のピンチを用いる事なく衣類を展示、回収する衣類展示回収冶具に関す    る。
【背景技術】
【０００２】
衣類を展示する際にはピンチの挟み込む機能を用いて保持牽下している。
【０００３】
次に従来のピンチを用いて衣類を保持、牽下する迄の動作を説明する。
【０００４】
ピンチは衣類を保持する部分がスプリング力により閉じている為に、一方の開いている  側を閉じる方向へ力を加える事で従来閉じていた部分が開口し、前記開口部分に衣類を  入れ、次に加えた力を無くす事で前記開口部分は閉じ、衣類が保持、牽下される。
【０００５】
衣類を回収する場合は同じ動作を行う事でピンチより衣類が回収できる。
【０００６】
一部のピンチには、衣類を展示する時だけ開けばよいものがある。
【０００７】
前記開く時だけでよいピンチの動作原理は、ピンチ内側に小さい歯車が両脇に設けら    れ、衣類は前記歯車に噛合う様に保持、牽下されている。
【０００８】
回収は牽下方向に力を加える事で歯車が回転し衣類が歯車より引き抜ける仕組みになっ  ている。
【先行技術文献】
【特許文献】
【０００９】
【特許文献１】特開：２０１０−２６９１０８公報
【発明の概要】
【発明が解決しようとする課題】
【００１０】
従来のピンチは衣類を吊り下げ保持する為に、保持力を維持する閉じつづけるスプリン  グの力が必要である。
【００１１】
前記スプリングの力は手や指の力が弱い方、或いは障害がある方には開口部分を押し閉  じている反対側を開口し、又回収する時には再び同じ動作を行う為に負担が大きくなっ  ている。
【００１２】
前記動作は衣類を展示から回収する迄の過程で、ピンチは先端を２回以上開閉する必要  が生じ煩わしさを感じさせていた。
【００１３】
一部のピンチには衣類をはさむ部分に小さい２つの歯車を有しているものもある。
【００１４】
前記歯車には双方とも凸凹が設けられ、凸凹部分に衣類が挟み込まれ保持され、衣類を  回収する場合は衣類をピンチから引き抜く方向に力を入れる事で、歯車が回転し回収す  る事ができる。
【００１５】
前記歯車の凸凹部分は小さい為に埃が容易に付着し、前記凸凹部分に付着した汚れが衣  類を汚す事が懸念される。
【００１６】
以上本発明は、この様なピンチの開閉負担や清掃も含め、衣類の展示から回収及びピン  チの清掃迄の一連の動作を容易にして、風が強い場合でも衣類の飛散又は落下を防止す  る事を目的とするものである。
【課題を解決するための手段】
【００１７】
本発明は上記目的を達成する為に、ピンチを用いず、衣類の形状を維持して、落下しな  い衣類展示回収冶具の提供である。
【００１８】
上記目的を達成する本発明の一観点にかかる衣類展示回収冶具は、複数の腕又は足と衣  類が取付けできる衣類用棒体又は衣類用帯状のものが係止できる複数の係止部を設けた  枠体に、１本以上の全てが平坦又は１個以上の突起、溝又は穴を有した枠体用棒体又は  枠体用帯状のものを保持又は牽下し取付け構成し、前記枠体に取付けた１本以上の枠体  用棒体又は枠体用帯状のものと、前記枠体の複数の係止部に係止できる衣類を取付けら  れる全てが平坦又は１個以上の突起、溝又は穴を有する衣類用棒体又は衣類用帯状のも  のを枠体の係止部にて係止する事で衣類を挟みこみ構成し、衣類を継続して挟み続け保  持又は牽下できる機能を特徴としている。
【００１９】
上記目的を達成する本発明の他の一観点にかかる衣類展示回収冶具は、複数の腕又は足  と複数の係止部を有した枠体に係止でき、衣類が取付けられる衣類用棒体又は衣類用帯  状のものに全てが平坦又は１個以上の突起、溝又は穴を設け構成された衣類用棒体又は  衣類用帯状のものである。  
【００２０】
上記目的を達成する本発明の他の一観点にかかる衣類展示回収冶具は、複数の腕又は足  と全てが平坦又は１個以上の突起、溝又は穴を有し衣類が取付けられる衣類用棒体又は  衣類用帯状のものが複数係止できる枠体に、全てが平坦又は１個以上の突起、溝又は穴  を有し構成され保持又は牽下された１個以上の枠体用棒体又は枠体用帯状のものであ    る。
【００２１】
上記目的を達成する本発明の他の一観点にかかる衣類展示回収冶具は、衣類を取付けた  衣類用棒体又は衣類用帯状のものが、枠体の係止部に係止されている間、衣類用棒体又  は衣類用帯状のものが回転又は前後左右への移動を防ぐ枠体の係止部形状と、衣類用棒  体又は衣類用帯状のものの係止される部分の形状である。特定する訳ではないが、前記  組合せの実施形態の１例を図６及び図７に示す。
【００２２】
図６は衣類用棒体１を枠体５の係止部４に係止する前の状態図である。衣類用棒体１の  枠体５の係止部４に係止される部分２０の形状は、図６では棒体全体が円柱で有る中で  係止される部分２０は突起となる多角形であり、枠体５の係止部形状はＶ字型である為  に、衣類用棒体１の係止される部分２０と枠体５に設けられた係止部４のＶ字型部分と  は角と角が合う状態になり、前記Ｖ字型と前記係止される部分２０の角が重なる事で回  転防止効果が生まれ、更に前後左右への移動防止は、衣類用棒体１の係止される部分が  衣類用棒体１の外径より小さく突起状であり、枠体５の係止部４に係止されると衣類用  棒体１は、衣類用棒体１の周りより潜り込み枠体５の係止部４に収まり、前後左右への  動きが枠体５の係止部４と衣類用棒体１の衣類を取付けている部分が抵抗となり前後左  右への移動が防止される。係止後の状態図を図７に示す。
【００２３】
本発明は複数の足又は腕のある枠体５に、回転又は前後左右への移動を防止する形状Ｖ  字型、コの字型又はＵ字型を有した複数の係止部４を枠体５に設け、前記係止部４に係  止でき回転又は前後左右への移動を防止できる係止される部分の形状を１個以上の突    起、溝又は穴を有して衣類を取付けた全部が平坦又は１個以上の突起、溝又は穴を有し  た衣類用棒体１又は衣類用帯状のものＢ１６が、枠体５に１本以上の保持又は牽下され  取付けられている全てが平坦又は１個以上の突起、溝又は穴を有した枠体用帯状のもの  Ａ９又は枠体用棒体２又は枠体用棒体３との間に衣類を挟み込み、枠体５の係止部４に  衣類用棒体１又は衣類用帯状のものＢ１６が係止され、取り外される迄衣類を挟み続け  る事を維持し目的を達成するものである。                                        
【００２４】
枠体に保持又は牽下されている１本以上の枠体用棒体２、枠体用棒体３又は枠体用帯状  のものＡ９が、衣類用棒体１又は衣類用帯状のものＢ１６と衣類を挟み込み、枠体５の  係止部４に衣類用棒体１又は衣類用帯状のものＢ１６が係止され、衣類が保持又は牽下  される迄の過程を説明する。
【００２５】
最初に図１に示す衣類用棒体１と枠体用棒体２で衣類１１を挟み込み、衣類１１を取付  けた衣類用棒体１が枠体５の係止部４に係止され更に、係止部より取り外される迄の過  程を説明する。
【００２６】
全てが平坦又は１個以上の突起、溝又は穴を有した衣類用棒体１に衣類を取付ける。
【００２７】
衣類１１を取付けた衣類用棒体１を枠体５の係止部４に係止する際に、棒体１に取付け  て有る衣類１１は、図１に示す枠体５のホルダ−１４に保持又は牽下されている１本以  上の枠体用棒体２に接触する。
【００２８】
尚本発明において「衣類」とは、人が着る服を指し限定する訳ではないが、例えばシャ  ツ、下着、タオルを指す。
【００２９】
枠体に取付けて有る「足」とは、枠体を床又は地面から分離し枠体を支えるものであ    り、又「腕」とは枠体を竿又は鴨居から吊り下げ支えるものである。足を取付けた枠体  で衣類を展示した状態を図５に示す。
【００３０】
図１の枠体５に保持又は牽下されている１本以上の枠体用棒体２に接触した衣類用棒体  １に取付けて有る衣類は、枠体５の係止部４に衣類用棒体１が係止される迄移動を続け  る。この時１本以上の枠体用棒体２は自らの重みにより衣類１１に接しつづけ、衣類    １１を衣類用棒体１と挟みながらホルダ−１４内に設けてある筒１３の中を移動してい  る。                                                      
【００３１】
衣類用棒体１と枠体用棒体２の間に挟み込まれた衣類１１が、衣類用棒体１が腕のある  枠体５の係止部４に係止され、衣類１１が保持又は牽下されている実施形態を図１に示  す。
【００３２】
図１に示す様に衣類１１は１本以上の枠体用棒体２と衣類用棒体１に挟まれ、衣類用棒  体１が枠体５の係止部４より外される迄挟まれる事が継続される。
【００３３】
衣類１１を回収する場合は、腕のある枠体５の係止部４より衣類用棒体１を取り外す事  で、衣類用棒体１が枠体５の係止部４より外れ、前記取り外し後衣類１１と衣類用棒体  １を分離し回収する。
【００３４】
次に図２に示す腕のある枠体５のクランパ−１５に取付け保持又は牽下されている１本  以上の枠体用帯状のものＡ９と衣類用棒体１の組合せで衣類を保持又は牽下する迄の過  程を説明する。
【００３５】
衣類１１を取付けた衣類用棒体１を枠体５の係止部４に係止する際に、衣類用棒体１に  取付けて有る衣類１１は、図２に示す枠体５のクランパ−１５に保持又は牽下されてい  る１本以上の枠体用帯状のものＡ９に接する。
【００３６】
１本以上の枠体用帯状のものＡ９とは伸縮性があるもので、例えば１個以上のバネを取  付けて機械的に伸縮性を付加した板状のもの又は棒体状のものを指し、或いはゴムやバ  ネの様に材質本来に伸縮性を有している板状又は棒体状のものを指している。
【００３７】
前記伸縮性を有している１本以上の枠体用帯状のものＡ９と接した衣類１１は、枠体用  帯状のものＡ９に伸縮性がある為に押えられる状態を保ちながら枠体５の係止部４に衣  類用棒体１が係止されている間、衣類用棒体１に保持又は牽下される。              
【００３８】
衣類用棒体１に取付けられた衣類１１は、衣類用棒体１が腕のある枠体５の係止部４に  係止されている間、伸縮性を有した１本以上の枠体用帯状のものＡ９と衣類用棒体１に  挟まれ続けて保持又は牽下される。
【００３９】
衣類１１を回収する場合は、腕のある枠体５の係止部４より衣類用棒体１を取り外し、  次に衣類用棒体１から衣類１１を分離して衣類１１の回収ができる。
【００４０】
次に図３に示す衣類用帯状のものＢ１６に、衣類を取付け腕のある枠体５の係止部４に  係止するまでの過程を説明する。                      
【００４１】
衣類用帯状のものＢ１６に衣類を取付ける。
【００４２】
衣類用帯状のものＢ１６とは、枠体用帯状のものＡ９と同じ伸縮性を有しているもので  ある。例えば１個以上のバネを取付けた板状又は棒体状のもので伸縮性を有し、或いは  材質本来に伸縮性があるゴム又はスプリングの様な棒体状又は板状のものである。
【００４３】
衣類を取付けた衣類用帯状のものＢ１６を腕のある枠体５の係止部４へ係止する過程    で、衣類１１は腕のある枠体５に保持された１本以上の枠体用棒体３と接する。
【００４４】
１本以上の枠体用棒体３と接した衣類１１を取付けた衣類用帯状のものＢ１６は、１本  以上の枠体用棒体３が枠体に保持され固定されている為に伸びながら枠体用棒体３との  間に衣類を挟み込み枠体５の係止部４に係止される。
【００４５】
衣類１１は枠体に保持されている枠体用棒体３と接触すると、衣類用帯状のものＢ１６  が伸び始める事で枠体用棒体３との間に挟まれ続け、衣類用帯状のものＢ１６が腕のあ  る枠体５の係止部４から取り外されるまで保持又は牽下されている。前記衣類１１が保  持又は牽下されている状態図を図３に示す。
【００４６】
本発明の特徴である衣類用棒体１と枠体用棒体２、衣類用棒体１と枠体用帯状のものＡ  ９、衣類用帯状のものＢ１６と枠体用棒体３又は衣類用帯状のものＢ１６と枠体用帯状  のものＡ９で衣類を挟み続ける特徴の欠点を補う為に、衣類用棒体１及び衣類用帯状の  ものＢ１６と、枠体用棒体２、枠体用棒体３及び枠体用帯状のものＡ９には挟み込む方  法を変える事で力を加減して衣類の形状変化の防止又は衣類１１が濡れていた場合の乾  燥効果の向上と落下防止を目的とした機能を有した形状を付加している。          
【００４７】
前記付加している機能の目的は、挟み込まれる事で生じる衣類への力を衣類用棒体１、  衣類用帯状のものＢ１６、枠体用棒体２、枠体用棒体３及び枠体用帯状のものＡ９が有  している、全てが平坦又は１個以上の突起、溝又は穴の組合せを変える事で調整し衣類  の形状変化防止又は衣類が濡れている場合の外気の接触面を多くする事で乾燥効率を高  める事と落下防止である。
【００４８】
衣類への力の加減方法は、例えば衣類用棒体１と枠体用棒体２又枠体用帯状のものＡ９  の場合では、双方が平坦の組合せでは衣類を挟み込む力は弱くなり、衣類の形状変化と  落下もない。別の組合せでは１個以上の突起を有した衣類用棒体１又は衣類用帯状のも  のＢ１６と、１個以上の溝又は穴を有した枠体用棒体２又は枠体用帯状のものＡ９の、  双方の１個以上の突起と溝又は穴で衣類を噛合う様に挟み保持、牽下すると、引っかか  る部分が生まれ、摩擦も高くなり強風の中でも落下の防止効果が高くなる。特定する訳  ではないが前記組合せの状態を１例として図１と図２が該当する。
【００４９】
前記組合せ状態の衣類用棒体１が突起で枠体用棒体２が溝を有して、衣類１１を噛合う  様にして保持又は牽下している拡大図を図１のＡ部拡大図として、図４に示す。
【００５０】
衣類用棒体１、衣類用帯状のものＢ１６、枠体用棒体２、枠体用棒体３及び枠体用帯状  のもの各々に有している全てが平坦又は１個以上の突起、溝又は穴によって生まれる外  気との接触の中で、乾燥効果が高い組合せは衣類用帯状のものＢ１６と、枠体用帯状の  ものＡ９双方が穴の連結状であるとより外気との接触が多くなり乾燥の効果が高くな    る。
【００５１】
枠体５の係止部４に衣類用棒体１又は衣類用帯状のもＢ１６を係止している間、衣類用  棒体１又は衣類用帯状のものＢ１６が回転又は前後左右への移動を防止する機能を、枠  体５の係止部４と衣類用棒体１及び、衣類用帯状のものＢ１６の係止される部分２０は  有している。
【００５２】
枠体５の係止部４に係止中の衣類用棒体１又は衣類用帯状のものＢ１６の前後左右への  移動又は回転を防止する効果を生む為に、枠体５の係止部４の形状はＶ字、コの字又は  Ｕ字型形状を有し、又衣類用棒体１又は帯状のものの係止される部分の形状には例えば  角を造り、係止部の角と衣類用棒体１の角を合わせる事で回転又は前後左右への移動を  防ぐ事ができる。図７参照。
【００５３】
衣類用棒体１又は衣類用帯状のものＢ１６の衣類を取付けてある部分と係止される部分  の形状を変える事で、枠体５の係止部４に潜り込ませ回転、又は前後左右への移動を防  止する事も効果がある。図７参照。
【００５４】
又衣類用棒体１又は衣類用帯状のもＢ１６の係止される部分に突起又は溝を設け、枠体  ５の係止部４を、前記衣類用棒体１又は衣類用帯状のものＢ１６の係止される部分の突  起又は溝が挟みこむ事でも回転又は前後左右への移動を防ぐ事も可能となる。図１、図  ２、及び図３が該当する。
【００５５】
衣類用棒体１又は衣類用帯状のものＢ１６の回転又は前後左右方向への移動が抑制され  る事は、枠体に取付けて有る枠体用棒体２、枠体用棒体３又は枠体用帯状のものＡ９へ  の振動を軽減するものである。
【００５６】
衣類用棒体１又は衣類用帯状のものＢ１６の係止される部分２０に穴を有する場合でも  回転又は前後左右への移動は防止される。
【００５７】
前記衣類用棒体１又は衣類用帯状のものＢ１６の係止される部分２０に設けた穴の中    に、枠体５の係止部４を入れる事でも同様の効果である、回転及び前後左右への移動が  抑制できる。係止される部分２０に穴を用いた衣類用棒体１が枠体５の係止部４に係止  されている形態を図８に示す。
【００５８】
衣類用棒体１又は衣類用帯状のもＢ１６が、枠体５の係止部４に係止されている間、衣  類用棒体1又は衣類用帯状のものＢ１６の回転又は、前後左右への移動を防止する事    は、枠体５の係止部４の形状と、衣類用棒体１又は衣類用帯状のもＢ１６の係止される  部分２０の形状との組み合わせで効果を高めている。図１、図７、図８参照。
【００５９】
本発明で用いる枠体とは、複数の腕又は足と複数の衣類用棒体１又は衣類用帯状のもの  Ｂ１６の、回転又は前後左右への移動を抑制する係止が継続できる係止部を複数有し、  外観は多角形又は円形状で構成され、前記多角形又は円形状のものの上部、下部又は内  部に、衣類用棒体１又は衣類用帯状のものＢ１６に取付けて有る衣類を、挟みこむ事が  できる枠体用棒体２、枠体用棒体３又は枠体用帯状のものＡ９を１本以上保持又は牽下  し構成されたものである。
【発明の効果】
【００６０】
本発明の効果はピンチの開閉動作が無く手及び指の筋肉への負担がなく、障害をもった  方、筋肉の弱い方でも衣類又はタオルの回収が容易になる冶具である。
【００６１】
前記解決する為の手段を用いて衣類を展示回収に要する時間は、従来と比較すると大幅  に短縮可能な冶具である為、衣類の展示を必要とする業務、又は洗濯物を干す、或いは  回収する動作に有効である。
【００６２】
本発はピンチの様な開閉動作が無く、更に歯車の様に細かい部分も無く、塵、埃が溜ま  りにくい棒体構造である為に拭くだけで容易に塵、埃を取り除く事ができ清掃が容易と  なり清潔が維持できる。
【００６３】
本発明はピンチを用いる事無く衣類の飛散又は落下を防止でき、展示、回収が容易にで  きる冶具である。
【００６４】
枠体５に取付けて有る１本以上の枠体用棒体２又は枠体用棒体３又は枠体用帯状のもの  Ａ９と、衣類用棒体１又は衣類用帯状のものＢ１６には、全てが平坦又は１個以上の突  起、溝又は穴を有している為に衣類の形状への影響、飛散及び落下を防止できる構造と  なっている。
【図面の簡単な説明】
【００６５】
【図１】衣類用棒体１と枠体用棒体２の展示状態図。
【図２】衣類用棒体１と枠体用帯状のものＡ９の展示状態図。
【図３】衣類用帯状のものＢ１６と枠体用棒体３の展示状態図。
【図４】図１のＡ部拡大図。
【図５】足のある枠体の展示状態図
【図６】衣類用棒体係止前斜視図
【図７】衣類用棒体係止後斜視図
【図８】穴と枠体係止部の関係展開図
【発明を実施するための形態】
【００６６】
本発明の特徴は全てが平坦又は１個以上の突起、溝又は穴を有した衣類用棒体１又は衣  類用帯状のものＢ１６に取付けられた衣類が、枠体に保持又は牽下され取付けられた全  てが平坦又は１個以上の突起、溝又は穴を有した１本以上の枠体用棒体２又は枠体用棒  体３又は枠体用帯状のものＡ９と接した時点で、衣類用棒体１又は衣類用帯状のものＢ  １６との間で挟まれ、衣類用棒体１又は衣類用帯状のもＢ１６が枠体５の係止部４より  外されるまで挟まれ続ける事が維持され、衣類用棒体１又は衣類用帯状のものＢ１６に  保持又は牽下されている事である。                    
【００６７】
衣類用棒体１及び衣類用帯状のものＢ１６と枠体用棒体２、枠体用棒体３及び枠体用帯  状のもＡ９の衣類を取付け部部分には、全てが平坦又は１個以上の突起、溝又は穴をそ  れぞれ有している。
【００６８】
前記全てが平坦又は１個以上の突起、溝又は穴を有している目的は、挟み込む力を加減  する事で衣類１１の形状変化を防ぎ、又は濡れていた場合の乾燥効果向上と落下を防止  する事である。                                  
【００６９】
次に衣類を展示、回収するまでの実施形態について、衣類用棒体１と衣類用棒体２を用  いて説明する。            
【００７０】
図１に示す衣類１１を全てが平坦又は１個以上の突起、溝又は穴を有した棒体１に取付  ける。                                                
【００７１】
棒体１に取付けられた衣類１１が係止される迄に、棒体１に取付けられた衣類１１は、  枠体５のホルダ−１４内に保持又は牽下されている１本以上の枠体用棒体２と最初に接  する。                                                    
【００７２】
次に衣類１１と接した１本以上の枠体用棒体２は、衣類１１を自重で挟み続けホルダ−  １４の筒１３の中を移動する。
【００７３】
衣類１１を取付けた衣類用棒体１が係止部４に係止されるまで１本以上の枠体用棒体２  は枠体５のホルダ−１４にある筒１３の中を移動する事が継続される。
【００７４】
衣類１１を取付けた衣類用棒体１が、枠体５の係止部４に係止されると１本以上の枠体  用棒体２の移動も中断し、衣類用棒体１が係止部４より取り外される迄衣類１１を衣類  用棒体１と挟み続け保持又は牽下する。                                    
【００７５】
衣類１１を回収する場合は、係止部４より棒体１を取り外し、前記取り外し後、衣類    １１を棒体１より分離し回収する。
【００７６】
前記枠体５の係止部４より衣類１１を取付けた衣類用棒体１を取り外す際の枠体用棒体  ２の動作は、衣類を取付けた衣類用棒体１を枠体５の係止部４に係止する迄の過程と逆  になる。
【００７７】
衣類１１を取付けた衣類用棒体１が枠体５の係止部４より外され始めると同時に、枠体  ５のホルダ−１４にある筒１３の中にある１本以上の枠体用棒体２も衣類と接しながら  動き始め、衣類１１が１本以上の枠体用棒体２と離れると、枠体用棒体２の動きも停止  し、次の衣類と接するまで停止を維持する。
【００７８】
１本以上の枠体用棒体２の停止原理は１本以上の枠体用棒体２の上部にストッパ−１２  が取付けて有り、前記ストッパ１２とホルダ−１４が接触した時点で、１本以上の棒体  ２の移動は停止する。
【００７９】
衣類１１を回収する場合は、枠体５の係止部４より衣類用棒体１を取り外し、前記取り  外し後の衣類１１を衣類用棒体１と分離して回収される。                          
【００８０】
他の組合せである衣類用棒体１と枠体用帯状のものＡ９、衣類用帯状のものＢ１６と枠  体用棒体３、及び衣類用帯状のもＢ１６と枠体用帯状のものＡ９の組合せの場合も、衣  類１１は衣類用棒体又は衣類用帯状のものＢ１６に取付けられ、前記衣類１１が枠体用  棒体３又は枠体用帯状のものＡ９に接した時点から挟まれる事が開始され、前記挟まれ  ている事は、衣類用棒体１又は衣類用帯状のものＢ１６が、枠体５の係止部４より取り  外されるまで継続される事が共通である。
【００８１】
衣類用棒体１と枠体用棒体２の清掃は、他の枠体用棒体３、枠体用帯状のものＡ９及び  衣類用帯状のものＢ１６を含め清潔な布による拭き作業で汚れを容易に取り除く事がで  きる。
【符号の説明】
【００８２】
１・・・・衣類用棒体１
２・・・・枠体用棒体２
３・・・・枠体用棒体３
４・・・・係止部
５・・・・枠体
６・・・・腕
７・・・・枠体用棒体溝
８・・・・衣類用棒体の突起
９・・・・枠体用帯状のものＡ
１０・・・・枠体用帯状のものの穴
１１・・・・タオル
１２・・・・ストッパ−
１３・・・・筒
１４・・・・ホルダ−
１５・・・・クランパ−
１６・・・・衣類用帯状のものＢ
１７・・・・足連結部
１８・・・・衣類用棒体穴
１９・・・・足
２０・・・・係止される部分
【図１】
2013070855.tif 000003
【図２】
2013070855.tif 000004
【図３】
2013070855.tif 000005
【図４】
2013070855.tif 000006
【図５】
2013070855.tif 000007
【図６】
2013070855.tif 000008
【図７】
2013070855.tif 000009
【図８】
2013070855.tif 000010
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
衣類を取付ける部分は全てが平坦又は１個以上の突起、溝又は穴を有し、係止される部分には係止部を挟む溝又は突起、係止部が入る穴、又は係止部の角と合う角を有した溝又は突起で構成された、衣類が取付けられる衣類用棒体又は衣類用帯状のもが係止できるＶ字型、コの字型又はＵ字型を有した複数の係止部を、複数の腕又は足のある枠体に取付け構成し、前記枠体に全てが平坦又は１個以上の突起、溝又は穴を有した枠体用棒体又は枠体用帯状のものを１個以上保持又は牽下し取付け構成し、前記枠体用棒体又は枠体用帯状のものと、前記枠体の複数の係止部に係止できる衣類を取付けた衣類類用棒体又は衣類用帯状のものとの間に衣類を挟みこみ構成し、前記枠体の係止部に前記枠体用棒体又は枠体用帯状のものと衣類を挟みこんだ前記衣類用棒体又は衣類用帯状のものを係止する事で、前記枠体の係止部が衣類用棒体又は衣類用帯状のもの係止される部分の突起又は溝で挟まれ、係止部が棒体の穴に入り、又は係止部の角と合う角を有した棒体の溝又は突起に挟まれ構成し、係止中は衣類を挟み続ける事を継続し、更に衣類用棒体又は衣類用帯状のものの回転又は前後左右方向への移動を継続して抑制する事を特徴とする衣類展示回収冶具。                                                          
【請求項２】
衣類を取付ける部分は全て平坦又は１個以上の突起、溝、穴を有し、係止部に係止される部分には、係止部を挟む突起又は溝、係止部が入る穴、又は係止部の角と合う角を有した突起又は溝で構成された衣類が取付けられる衣類用棒体又は衣類用帯状のものが係止できるＶ字型、コの字型又はＵ字型をした複数の係止部を、複数の腕又は足のある枠体に取付け構成し、前記枠体に全てが平坦又は１個以上の突起、溝又は穴を有した枠体用棒体、又は枠体用帯状のものが１本以上保持又は牽下され取付けられ構成された枠体の衣類展示回収冶具。
【請求項３】
複数の腕又は足と、Ｖ字型、コの字型又はＵ字型をした複数の係止部を取付けた枠体で構成され、前記係止部に係止できる衣類を取付けられる衣類用棒体又は衣類用帯状のものの係止される部分に、係止部を挟みこむ突起又は溝、係止部の角に合う角と溝又は突起、又は係止部が入る穴を有し、衣類を取付ける部分は全てが平坦、又は１個以上の突起、溝又は穴を有し構成され衣類が取付けられる衣類用棒体又は衣類用帯状のもの衣類展示回収冶具。
【請求項４】
衣類が取付けられる部分全てが平坦又は１個以上の突起、溝又は穴を有し、係止される部分は、係止部を挟む突起又は溝、係止部が入る穴、又は係止部の角と合う角を有した溝又は突起を有し構成された衣類が取付けられる衣類用棒体又は衣類用帯状のものを複数係止するＶ字型、コの字型又はＵ字型をした係止部を、複数の腕又は足を有した枠体に取付け構成し、前記枠体に１本以上保持又は牽下される全てが平坦又は１個以上の突起、溝又は穴を有し構成された枠体用棒体又は帯状のものの衣類展示回収冶具。  
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
複数の係止部を有した枠体と、前記枠体の係止部に係止でき衣類が取付けられる衣類用棒体、又は衣類用帯状のもの何れかと、前記枠体に取付けられた枠体用棒体、又は枠体用帯状のもの何れかからなり、前記枠体に係止中の衣類を取付けた衣類用棒体、又は衣類用帯状のもの何れかが、前記枠体用棒体、又は枠体用帯状のもの何れかと衣類を継続して挟持する事を特徴とする衣類牽下具。
【請求項２】
前記枠体が、複数の足、又は腕の何れかと、Ｖ字型、コの字型、Ｕ字型の何れかの形状を備えた複数の係止部と、前記枠体の係止部に係止できる衣類用棒体、又は衣類用帯状のもの何れかと、上部、下部、内部の何れかに１本以上取付けて有る枠体用棒体、又は枠体用帯状のもの何れからなる円形、又は多角形の何れかで形成されている事を特徴とする請求項１に記載の衣類牽下具。
【請求項３】
前記衣類用棒体と衣類用帯状のものの係止される部分が、角、突起、溝、穴の何れかを有し、前記枠体の係止部を挟持、挿入、角の一致の何れかからなる事を特徴とする請求項１、又は請求項２に記載の衣類牽下具。
【請求項４】
前記枠体用棒体、又は枠体用帯状のもの何れかが、平坦、或いは１個以上の突起、１個以上の溝、又は１個以上の穴の何れかで形成されている事を特徴とする請求項１、請求項２又は、請求項３に記載する衣類牽下具。
【請求項５】
前記衣類用帯状のもの、及び枠体用帯状のものが、板状、又は棒状の何れかからなり、１個以上の伸縮性を備え形成されている事を特徴とする請求項１、請求項２、請求項３、又は請求項４に記載する衣類牽下具。
【請求項６】
前記衣類用棒体、又は衣類用帯状のも何れかが、衣類を取付けられる事を特徴とする請求項１、請求項２、請求項３、請求項４、又は請求項５に記載する衣類牽下具。